(57)【要約】【課題】１つの駆動源でクリーニング機構と被クリーニング機構を駆動させ駆動源の回転方向により被駆動体を変え必要時のみクリーニングが可能な定着装置の駆動装置を提供する。【解決手段】加熱ローラ２２とこれに圧接してクリーニングをするウェブ３３と、クリーニングを終えたウェブ３３を巻き取る巻取ローラ３５と、を有する定着装置の駆動装置において、回転方向切換可能なモータ４１と、複数のギアからなりモータ４１の駆動を加熱ローラ２２に伝達する第１の駆動伝達手段と、複数のギアからなり巻取ローラ３５にモータ４１の駆動を伝達する第２の駆動伝達手段と、を備え、第２の駆動伝達手段は、モータ４１が巻取ローラ３５を停止させるための第１の方向に回転するときは巻取ローラ３５に駆動を伝達せずモータが巻取ローラ３５を動作させるための第２の方向に回転するときは巻取ローラ３５に駆動を伝達するように規制する第１の回転規制部材４４を備えた。【選択図】図２
2008145718.tif 000002
【特許請求の範囲】
【請求項１】
転写紙に形成された画像を加熱して定着を行う加熱手段と、該加熱手段に圧接してクリーニングをするシート上のクリーニング部材と、クリーニングを終えた前記クリーニング部材を巻き取る巻取手段と、を有する定着装置を駆動する駆動装置において、
回転方向を切換可能な駆動源と、複数のギアから構成されて該駆動源の駆動を前記加熱手段に伝達する第１の駆動伝達手段と、複数のギアから構成されて前記巻取手段に前記駆動源の駆動を伝達する第２の駆動伝達手段と、を備え、
前記第２の駆動伝達手段は、前記駆動源が前記巻取手段を停止させるための第１の方向に回転するときは前記巻取手段に駆動を伝達せず、前記駆動源が前記巻取手段を動作させるための第２の方向に回転するときは前記巻取ローラに駆動を伝達するように当該第２の駆動伝達手段を規制する第１の回転規制部材を備えたことを特徴とする駆動装置。
【請求項２】
前記第１の駆動伝達手段は、前記駆動源が前記第１の方向に回転するときは前記加熱手段に駆動を伝達し、前記駆動源が前記第２の方向に回転するときは前記加熱手段に駆動を伝達しないように当該第１の駆動伝達手段を規制する第２の回転規制部材を備えたことを特徴とする請求項１に記載の駆動装置。
【請求項３】
前記第１の駆動伝達手段は、前記加熱手段が前記駆動源の回転方向に関わらず同一方向に回転するように構成されたことを特徴とする請求項１に記載の駆動装置。
【請求項４】
前記駆動源の前記第１の方向及び前記第２の方向への回転時に関わらず減速比を等しくし、前記加熱手段が前記駆動源の回転方向に関わらず同じ回転数で回転するようにしたことを特徴とする請求項３に記載の駆動装置。
【請求項５】
前記駆動源の前記第１の方向及び前記第２の方向への回転時における減速比を異ならせ、前記駆動源の回転方向によって前記加熱手段が異なる回転数で回転するようにしたことを特徴とする請求項３に記載の駆動装置。
【請求項６】
請求項１乃至５の何れか一項に記載の駆動装置を備えていることを特徴とする画像形成装置。
【請求項７】
前記駆動源が前記第２の方向に回転する時に通紙を行うことを特徴とする請求項６に記載の画像形成装置。
【請求項８】
前記駆動源の回転方向の逆転動作を、非通紙時に行うことを特徴とする請求項６又は７に記載の画像形成装置。
【発明の詳細な説明】
【技術分野】
【０００１】
本発明は、定着装置の駆動装置及びこれを備える画像形成装置に関するものである。
【背景技術】
【０００２】
電子写真式の画像形成装置に於いては、感光体上にて静電潜像を形成し、トナーにより可視化した後に、転写紙上に可視化されたトナー像を転写する。その後、この転写紙を定着装置に通過させることにより、転写紙上にトナー像を定着させている。
定着装置は、内部に熱源を有した加熱ローラと、この加熱ローラに圧接している加圧ローラの２つのローラからなり、これらの両ローラのニップ部にトナー像を転写された転写紙を通過させる。この際、加熱ローラにより加熱を行ないつつ加圧することにより、トナー像を転写紙上に定着させる。
ここで、加熱ローラは未定着トナーと接触するためトナーの一部が付着し、また、転写紙面とも接触するので紙粉なども付着する。この加熱ローラに定着したトナーなどが次に送られてくる転写紙上に付着すると画像を汚すこととなり、トナー等が加熱ローラに付着したままでもオフセットなどの不具合が発生し易くなる。
そこで、加熱ローラをクリーニングすることが望ましい。このクリーニングの方法として、従来から耐熱性のあるウェブを用いて加熱ローラに付着した異物を除去する方法が取られている（例えば、特許文献１乃至５参照）。
【０００３】
まず、送出ローラに巻かれているウェブが巻取ローラによって巻き取られ、送出ローラと巻取ローラとの間で、加熱ローラにウェブを押し当てることでクリーニングを行う。
なお、クリーニングを行う際、巻取ローラによって巻き取りながらクリーニングを行うタイプと、巻取ローラを静止させてクリーニングを行うタイプの２タイプがあるが、前者では無駄な送りが多くウェブの交換が早まってしまうといった理由から、現在、後者が主流となっている。
このようなウェブ送りの従来例として、特許文献１では、ウェブの巻き取り手段を加熱ローラや画像形成装置のメインモータ等他の駆動源とは連動させず、独立に駆動するようにし、その駆動を画像形成装置作動期間中の所定期間だけ行わせるようにしている。
【０００４】
他に、特許文献２では、ウェブの移動手段を画像形成装置の複写サイズ等に応じて移動量が変わる走査用移動体の駆動手段に所定範囲でのみ伝動する手段を介し連結することで、他の駆動源と連動させて駆動を行っている。
また、特許文献３乃至５では、駆動源から定着手段に駆動を伝達する駆動機構を設けること、第２ワンウェイクラッチを設けること、及び定着手段が定着ベルトであることなどが開示されている。
【特許文献１】特開昭５９−８４２７４号公報
【特許文献２】実開平１−８８９６２号公報
【特許文献３】特開２００３−０９１１９８公報
【特許文献４】特開２００１−０８３８３０公報
【特許文献５】特開平０７−２１９３６６号公報
【発明の開示】
【発明が解決しようとする課題】
【０００５】
しかしながら、上記のような従来の定着装置のクリーニング機構においては、駆動源を別に持つことでコストが高くなる、又、必要時以外にもウェブの巻き取りがなされてしまい、ウェブを早く消費してしまう。また、逆に、必要時にウェブの巻き取りがなされず、クリーニング性が悪化してしまうといった課題も存在している。
そこで、本発明の目的は、上述した実情を考慮して、１つの駆動源でクリーニング機構と被クリーニング機構を駆動させ、駆動源の回転方向により被駆動体を変え、必要時にのみクリーニングを行うことが可能となり、これにより、駆動源削減によるコスト減とともに、消耗品の交換間隔の延長も可能となる定着装置の駆動装置及びこれを備える画像形成装置を提供することにある。
【課題を解決するための手段】
【０００６】
上記の課題を解決するために、請求項１に記載の発明は、転写紙に形成された画像を加熱して定着を行う加熱手段と、該加熱手段に圧接してクリーニングをするシート上のクリーニング部材と、クリーニングを終えた前記クリーニング部材を巻き取る巻取手段と、を有する定着装置を駆動する駆動装置において、回転方向を切換可能な駆動源と、複数のギアから構成されて該駆動源の駆動を前記加熱手段に伝達する第１の駆動伝達手段と、複数のギアから構成されて前記巻取手段に前記駆動源の駆動を伝達する第２の駆動伝達手段と、を備え、前記第２の駆動伝達手段は、前記駆動源が前記巻取手段を停止させるための第１の方向に回転するときは前記巻取手段に駆動を伝達せず、前記駆動源が前記巻取手段を動作させるための第２の方向に回転するときは前記巻取ローラに駆動を伝達するように当該第２の駆動伝達手段を規制する第１の回転規制部材を備えた駆動装置を特徴とする。
また、請求項２に記載の発明は、前記第１の駆動伝達手段は、前記駆動源が前記第１の方向に回転するときは前記加熱手段に駆動を伝達し、前記駆動源が前記第２の方向に回転するときは前記加熱手段に駆動を伝達しないように当該第１の駆動伝達手段を規制する第２の回転規制部材を備えた請求項１に記載の定着装置の駆動装置を特徴とする。
【０００７】
また、請求項３に記載の発明は、記第１の駆動伝達手段は、前記加熱手段が前記駆動源の回転方向に関わらず同一方向に回転するように構成された請求項１に記載の駆動装置を特徴とする。
また、請求項４に記載の発明は、前記駆動源の前記第１の方向及び前記第２の方向への回転時に関わらず減速比を等しくし、前記加熱手段が前記駆動源の回転方向に関わらず同じ回転数で回転するようにした請求項３に記載の定着装置の駆動装置を特徴とする。
また、請求項５に記載の発明は、前記駆動源の前記第１の方向及び前記第２の方向への回転時における減速比を異ならせ、前記駆動源の回転方向によって前記加熱手段が異なる回転数で回転するようにした請求項３に記載の定着装置の駆動装置を特徴とする。
また、請求項６に記載の発明は、請求項１乃至５何れか一項に記載の駆動装置を備えていることを特徴とする画像形成装置を特徴とする。
また、請求項７に記載の発明は、前記駆動源が前記第２の方向に回転する時に通紙を行う請求項６に記載の画像形成装置を特徴とする。
また、請求項８に記載の発明は、前記駆動源の回転方向の逆転動作を、非通紙時に行うことを特徴とする請求項６又は７に記載の画像形成装置を特徴とする。
【発明の効果】
【０００８】
本発明によれば、回転方向を切り換え可能な１つの駆動源で２つ以上の被回転駆動体を駆動させることにより、駆動源を減らすことができ、低コスト化、省スペース化が可能となり、駆動源の回転方向によって被回転駆動体の駆動を切り換えているので、消費電力の低減、消耗品の交換間隔の延長が可能な駆動装置を提供することが可能となる。
また、本発明によれば、感光体上にて静電潜像を形成し、トナーにより可視化した後に、転写紙上に可視化されたトナー像を転写し、このトナー像を転写紙上に定着する定着装置にこの駆動装置を備えることによって、低コスト化、省資源か、省エネルギ化が可能な画像形成装置を提供することが可能となる。
【発明を実施するための最良の形態】
【０００９】
以下、図面を参照して、本発明の実施の形態を詳細に説明する。図１は本発明を用いた駆動装置を具備する画像形成装置を示す概略図である。図１において、感光体１上には、帯電装置２、書き込み装置３により潜像が形成され、その潜像が現像装置４により現像される。
転写紙（図示せず）は給紙部５より搬送され、レジスト部６でタイミングを取った後、転写部７で先のトナー像を転写し、定着装置８で定着し、排紙部９により画像形成装置Ａ外に放出される。
定着装置８は、後述するように、定着機構２１とウェブ機構３２とからなり、定着機構２１内の加熱ローラ２２にウェブ機構３２が接しており、ウェブ３３により定着機構２１の加熱ローラ２２がクリーニングされる。なお、定着機構２１とウェブ機構３２は同一駆動源であるモータ４１により駆動される。
【００１０】
図２は本発明を用いた定着装置の第１の実施の形態を示す部分概略斜視図である。図３は図２の定着装置の第１の実施の形態のモータ正転時を示す部分概略斜視図である。図４は図２の定着装置の第１の実施の形態のモータ逆転時を示す部分概略斜視図である。
図２乃至図４を参照して、定着装置は、定着機構２１とウェブ機構３２とからなり、定着機構２１には加熱ローラ（加熱手段）２２と加圧ローラ（加圧手段）２３が配置され、この加熱ローラ２２と加圧ローラ２３は連動して回転する。加熱ローラ２２として定着ベルトを用いても、加圧ローラ２３として加圧ベルトを用いても、本発明の駆動機構を用いることは可能である。
加熱ローラ２２は表面がＰＦＡ、ＰＴＦＥ等の耐熱離型層でコーティングされている。また、加熱ローラ２２の内部には、図示しないヒータが設けられており、このヒータにより加熱ローラ２２はある一定温度に保たれている。
図示しない転写紙は、定着駆動伝達機構（第１の駆動伝達機構）２４により駆動源（モータ）４１の回転駆動が伝達される加熱ローラ２２と、この加熱ローラ２２と圧接しながら連動する加圧ローラ２３との間を搬送され、加熱ローラ２２と加圧ローラ２３とのニップ部にて熱及び圧力を与えられることでトナーが定着する。
【００１１】
ウェブ機構３２には、シート状の耐熱性ウェブ（クリーニング部材）３３、このウェブ３３を加熱ローラ２２に押し当てる押圧ローラ３４、ウェブ３３を巻き取る巻取ローラ（巻取手段）３５、ウェブ３３の供給手段である送出ローラ３６が配置されている。
巻取ローラ３５と送出ローラ３６は連動して回転する。また、巻取ローラ３５には巻き取られたウェブ３３が引っ張り出されないように、図示しない第２の一方向回転防止部材が取り付けられている。
ウェブ３３には離型材が含浸されており、押圧ローラ３４により加熱ローラ２２に押し当てられることで、この加熱ローラ２２に付着した未定着のトナーや紙粉などをクリーニングするとともに加熱ローラ２２に離型材を塗布する。
また、ウェブ３３は必要な時にウェブ駆動伝達機構（第１の駆動伝達機構）３７により回転が伝達される巻取ローラ３５により巻き取られ、かつ送出ローラ３６により供給されることで、新たなウェブ部を加熱ローラ２２に接触させてクリーニングを行う。
【００１２】
定着機構２１（加熱ローラ２２）とウェブ機構３２（巻取ローラ３５）との同一の駆動源であるモータ４１は、正転と逆転が可能であり、定着駆動伝達機構２４及びウェブ駆動伝達機構３７に駆動を伝達している。
また、ウェブ駆動伝達機構３７内には、ワンウェイクラッチ４４（第１の回転規制部材）が設けられたギア４０が駆動伝達部材として使用されている。なお、ワンウェイクラッチ４４は、ギア４０の駆動を、モータ４１の回転が正転時（第１の方向への回転とする）には遮断し、逆転時（第２の方向への回転とする）には伝達する。
従って、モータ４１が正転時には、図３に示すようにウェブ駆動伝達機構３７はワンウェイクラッチ４４によりウェブ機構３２への駆動を遮断し、ウェブ３３は止まった状態で加熱ローラ２２に押し付けられており、且つこの加熱ローラ２２は矢印の方向に回転する。
この場合、加熱ローラ２２はウェブ３３へとローラ表面をこすり付けられることとなり、加熱ローラ２２に付着した未定着トナーや紙粉等がクリーニングされ、かつ離型材が塗布される。
【００１３】
また、モータ４１が逆転時には、図４に示すように、ウェブ駆動伝達機構３７は駆動をウェブ機構３２に伝達し、ウェブ３３は巻取ローラ３５に巻き取られていき、かつ加熱ローラ２２は矢印の方向に回転する。
この場合、ウェブ３３と加熱ローラ２２は接触部にて同一方向に移動することとなり、摩擦力が低減し、モータ４１への負荷が軽減される。なお、図２乃至図４において、符号２５〜３１は定着駆動伝達機構２４を構成する回転体（ギア）、符号３８及び３９はウェブ駆動伝達機構３７を構成するギア、そして符号４２及び４３はモータ４１に関連する回転体を示している。
ワンウェイクラッチ４４を用いることで、クラッチ等の伝達を切り離す駆動伝達切り換え機構と比較し、衝突によるギアの欠けがなくなる等の耐久性の向上や、安価な材質への変更が可能となり、衝突が無くなることで衝突音をなくすことができる。
駆動源（モータ）４１の回転方向に関わらず、加熱ローラ２２が同一方向に回転することで、加熱ローラ２２のクリーニングを行ないながらのウェブ３３の巻き取りを可能とする。その結果、加熱ローラ２２と接触するウェブ３３が随時新しい箇所となりながら加熱ローラ２２のクリーニングが行われ、加熱ローラ２２のクリーニング性を向上させることが可能となる。
【００１４】
正転時と逆転時の減速比を等しくすることにより、モータ（駆動源）４１の回転方向に関わらず加熱ローラ２２が同じ回転数で回転する。
加熱ローラ２２がモータ４１の回転方向に関わらず同一方向に回転するようにし定着駆動伝達機構を構成し、かつ正転時と逆転時の減速比を等しくすることで、ウェブ３３を巻き取りながら定着装置に通紙を行い、未定着トナーを記録材に定着することが可能となる。
これにより、ウェブ３３を巻き取るために加熱ローラ２２に通紙を行なえないということがなくなり、一度に複数枚の通紙を行う場合など、定着装置に通紙が行なわれていない間にモータ４１の正転、逆転の切り換えを行なうことで、途中、ウェブ３３の巻き取りを、通紙を止めずに行なうことが可能となる。また、ウェブ３３を巻き取るだけのために駆動を行なう必要がなくなり、省エネルギ化が可能となる。
また、正転時と逆転時の減速比を変えることにより、モータ（駆動源）４１の回転方向よって加熱ローラ２２が異なる回転数で回転する。加熱ローラ２２がモータ４１の回転方向に関わらず、同一方向に回転し、正転時と逆転時にて減速比を変えることで、ウェブ３３の巻き取りを行なう間に定着装置を所望の回転数だけ回転させることが可能となる。また、逆転時の加熱ローラ２２の回転数を上げることで、ウェブ３３に対する加熱ローラ２２の相対速度比を上げることが可能となる。これらのことから、加熱ローラ２２のクリーニング性を向上させることが可能となる。
【００１５】
図５は本発明を用いた定着装置の第２の実施の形態を示す部分概略斜視図である。図６は図５の定着装置の第２の実施の形態をモータとしてモータ軸のみを示す部分概略斜視図である。図７は図５の定着装置の第２の実施の形態のモータ正転時を示す部分概略斜視図である。図８は図５の定着装置の第２の実施の形態のモータ逆転時を示す部分概略斜視図である。
図５乃至図８を参照して、定着機構２１とウェブ機構３２との同一の駆動源であるモータ４１は、正転と逆転が可能であり、定着駆動伝達機構２４及びウェブ駆動伝達機構３７に駆動を伝達している。
また、ウェブ駆動伝達機構３７内には、第１の回転規制部材としてのワンウェイクラッチ５３が設けられたギア５２が駆動伝達部材として使用されている。なお、ワンウェイクラッチ５３は、ギア５２との駆動をモータ４１の回転が正転時には遮断し、逆転時には伝達する。
【００１６】
従って、モータ４１が正転時には、図７に示すようにウェブ駆動伝達機構３７はワンウェイクラッチ５３によりウェブ機構３２への駆動を遮断し、ウェブ３３は止まった状態で加熱ローラ２２に押し付けられており、かつ加熱ローラ２２は矢印の方向に回転する。
この場合、加熱ローラ２２はウェブ３３へとローラ表面をこすり付けられることとなり、加熱ローラ２２に付着した未定着トナーや紙粉等がクリーニングされ、かつ離型材が塗布される。
また、モータ４１が逆転時には、図８に示すようにウェブ駆動伝達機構３７は駆動をウェブ機構３２に伝達し、ウェブ３３は巻取ローラ３５に巻き取られていき、かつ加熱ローラ２２は矢印の方向に回転する。
この場合、ウェブ３３と加熱ローラ２２は接触部にて同一方向に移動することとなり、摩擦力が低減し、モータ４１への負荷が軽減される。なお、図５乃至図８において、符号４５〜５１は定着駆動伝達機構２４を構成する回転体、符号５４〜５７はウェブ駆動伝達機構３７を構成する回転体を示している。
【００１７】
図９は本発明を用いた定着装置の第３の実施の形態を示す部分概略斜視図である。図１０は図９の定着装置の第３の実施の形態のモータ正転時を示す部分概略斜視図である。図１１は図９の定着装置の第３の実施の形態のモータ逆転時を示す部分概略斜視図である。
図９乃至図１１を参照して、定着機構２１とウェブ機構３２との同一の駆動源であるモータ４１は、正転と逆転が可能であり、定着駆動伝達機構２４及びウェブ駆動伝達機構３７に駆動を伝達している。
また、定着駆動伝達機構２４及びウェブ駆動伝達機構３７内には、ワンウェイクラッチ５８（第２の回転規制部材）、６６、６８（第１の回転規制部材）が、それぞれギア５９、６６、６９に設けられており、駆動伝達部材として使用されている。
なお、ワンウェイクラッチ５８は、ギア５９との駆動をモータ４１の回転が正転時（図１０）には伝達し、逆転時（図１１）には遮断する。ワンウェイクラッチ６８は、ギア６９との駆動をモータ４１の回転が正転時には遮断し、逆転時には伝達する。ワンウェイクラッチ６６は、ギア６１との駆動をモータ４１の回転が正転時には遮断し、逆転時には伝達する。
【００１８】
従って、モータ４１が正転時には、図１０に示すように、ウェブ駆動伝達機構３７はワンウェイクラッチ６８、６６によりウェブ機構３２への駆動を遮断し、ウェブ３３は止まった状態で加熱ローラ２２に押し付けられており、かつ加熱ローラ２２は矢印の方向に回転する。
この場合、加熱ローラ２２はウェブ３３へとローラ表面をこすり付けられることとなり、加熱ローラ２２に付着した未定着トナーや紙粉等がクリーニングされ、かつ離型材が塗布される。
また、モータ４１が逆転時には、図１１に示すように、ウェブ駆動伝達機構３７は駆動をウェブ機構３２に伝達し、ウェブ３３は巻取ローラ３５に巻き取られていく。そして加熱ローラ２２はワンウェイクラッチ５８からの駆動は遮断されるが、ワンウェイクラッチ６６からの駆動がギア６１へと伝達され、矢印の方向に回転する。
この場合、加熱ローラ２２はモータ４１が正転時と同一方向に回転しており、逆方向に回転することで起こっていた、加熱ローラ２２に付着した未定着のトナーや紙粉などを加圧ローラ２３へと付着させることを防ぐことができる。
なお、図９乃至図１１において、符号６０、６２〜６５、６７は定着駆動伝達機構２４を構成する回転体、符号７０、７１はウェブ駆動伝達機構３７を構成する回転体、そして符号７２、７３はモータ４１に関連する回転体を示している。
【００１９】
図１２は本発明を用いた定着装置の第４の実施の形態を示す部分概略斜視図である。図１３は図１２の定着装置の第４の実施の形態のモータ正転時を示す部分概略斜視図である。図１４は図１２の定着装置の第４の実施の形態のモータ逆転時を示す部分概略斜視図である。
図１２乃至図１４を参照して、定着機構２１とウェブ機構３２との同一の駆動源であるモータ４１は、正転と逆転が可能であり、定着駆動伝達機構２４及びウェブ駆動伝達機構３７に駆動を伝達している。
また、定着駆動伝達機構２４内には、第２の回転規制部材としてのワンウェイクラッチ７４が設けられたギア７５が、ウェブ駆動伝達機構３７内には、第１の回転規制部材としてのワンウェイクラッチ８２が設けられたギア８３がそれぞれ駆動伝達部材として使用されている。
なお、ワンウェイクラッチ７４は、ギア７５との駆動をモータ４１の回転が正転時（図１３）には伝達し、逆転時（図１４）には遮断する。ワンウェイクラッチ８２は、ギア８３との駆動をモータ４１の回転の正転時には遮断し、逆転時には伝達する。従って、モータ４１が正転時には、図１３に示すように、ウェブ駆動伝達機構３７はワンウェイクラッチ８２によりウェブ機構３２への駆動を遮断し、ウェブ３３は止まった状態で加熱ローラ２２に押し付けられており、かつ加熱ローラ２２は矢印の方向に回転する。
この場合、加熱ローラ２２はウェブ３３へとローラ表面をこすり付けられることとなり、加熱ローラ２２に付着した未定着トナーや紙粉等がクリーニングされ、かつ離型材が塗布される。
【００２０】
また、モータ４１が逆転時には、図１４に示すように、ウェブ駆動伝達機構３７は駆動をウェブ機構３２に伝達し、ウェブ３３は巻取ローラ３５に巻き取られていき、かつ加熱ローラ２２はワンウェイクラッチ７４により定着機構２１への駆動を遮断し、止まった状態でウェブ３３に押し付けられている。この場合、モータ４１はウェブ３３のみを駆動することとなり、トルクの低減に繋がる。
加熱ローラ２２はモータ４１が正転する時に回転し、モータ４１が逆転する時に停止している。このように、ウェブ３３の巻き取り時には加熱ローラ２２に駆動を伝達させないことで、モータ４１の必要トルクを低減させることが可能となる。
加熱ローラ２２と連なる定着駆動伝達機構に、第２の回転規制部材としてワンウェイクラッチ７４を備えることにより、加熱ローラ２２が逆転するのを防ぎ、加熱ローラ２２に付着した未定着トナーや紙粉などが、加圧ローラ２３へと移動するのを防ぐことが可能となる。
【００２１】
巻取ローラ３５及び加熱ローラ２２以外の被回転駆動体へ、上記の駆動伝達機構とはさらに別の駆動伝達機構を設け、被回転駆動体がモータ４１の正転時か逆転時の何れか一方の場合にのみに回転するように構成する。モータ（駆動源）４１から他の駆動体へと駆動を伝達させることで、さらに駆動源の削減が可能となり、低コスト化、省スペース化が可能となる。
感光体１（図１）上にて静電潜像を形成し、トナーにより可視化した後に、転写紙上に可視化されたトナー像を転写する画像形成装置に上記の作用効果を有する本発明の駆動装置を備えることによって、低コスト化、省資源か、省エネルギ化が可能な画像形成装置を提供することが可能となる。
ウェブを巻き取りながら通紙を行なうことで、ウェブを巻き取るために加熱ローラ２２に通紙を行えないということがなくなり、連続して複数枚の定着を行なう際にも、通紙されていないタイミングで逆転動作を行い、途中、ウェブの巻き取りを、通紙を止めずに行なうことが可能となる。
また、ウェブを巻き取るだけのために駆動を行なう必要がなくなり、省エネルギ化が可能となる。さらに、非通紙時に逆転を行なうことで、通紙前に加熱ローラ２２と接触するウェブを新しい箇所へと交換することが可能となる。
【図面の簡単な説明】
【００２２】
【図１】本発明を用いた駆動装置を具備する画像形成装置を示す概略図。
【図２】本発明を用いた定着装置の第１の実施の形態を示す部分概略斜視図。
【図３】図２の定着装置の第１の実施の形態のモータ正転時を示す部分概略斜視図。
【図４】図２の定着装置の第１の実施の形態のモータ逆転時を示す部分概略斜視図。
【図５】本発明を用いた定着装置の第２の実施の形態を示す部分概略斜視図。
【図６】図５の定着装置の第２の実施の形態をモータとしてモータ軸のみを示す部分概略斜視図。
【図７】図５の定着装置の第２の実施の形態のモータ正転時を示す部分概略斜視図。
【図８】図５の定着装置の第２の実施の形態のモータ逆転時を示す部分概略斜視図。
【図９】本発明を用いた定着装置の第３の実施の形態を示す部分概略斜視図。
【図１０】図９の定着装置の第３の実施の形態のモータ正転時を示す部分概略斜視図。
【図１１】図９の定着装置の第３の実施の形態のモータ逆転時を示す部分概略斜視図。
【図１２】本発明を用いた定着装置の第４の実施の形態を示す部分概略斜視図。
【図１３】図１２の定着装置の第４の実施の形態のモータ正転時を示す部分概略斜視図。
【図１４】図１２の定着装置の第４の実施の形態のモータ逆転時を示す部分概略斜視図。
【符号の説明】
【００２３】
Ａ  画像形成装置、１  感光体、４  現像装置、７  転写部、８  定着装置、２１  定着機構、２２  加熱ローラ、２３  加圧ローラ、２４  定着駆動伝達機構、２５  ギア、３２  ウェブ機構、３３  ウェブ、３４  押圧ローラ３５  巻取ローラ、３６  送出ローラ、３７  ウェブ駆動伝達機構、４０  ギア、４１  モータ、４４  回転規制部材、５２  ギア、５３  ワンウェイクラッチ、５８  ワンウェイクラッチ、５９  ギア、７４  ワンウェイクラッチ、７５  ギア
【図１】
2008145718.tif 000003
【図２】
2008145718.tif 000004
【図３】
2008145718.tif 000005
【図４】
2008145718.tif 000006
【図５】
2008145718.tif 000007
【図６】
2008145718.tif 000008
【図７】
2008145718.tif 000009
【図８】
2008145718.tif 000010
【図９】
2008145718.tif 000011
【図１０】
2008145718.tif 000012
【図１１】
2008145718.tif 000013
【図１２】
2008145718.tif 000014
【図１３】
2008145718.tif 000015
【図１４】
2008145718.tif 000016